(57)【要約】【課題】電球の種類を誤って装着した際の過熱による破損を抑制するために複数の過熱温度に対応できる照明装置を提供すること。【解決手段】複数の照明光源を照明装置本体に設けた照明装置であって、複数の照明光源へ外部電源からの電力を分配するフランジと、フランジに設けられて、複数の照明光源をそれぞれ着脱可能に保持する複数のソケットと、複数のソケットに設けられて、フランジからの分配電力を複数の照明光源のそれぞれへと電絡する出力端子部と、フランジから出力端子部へと向う回路構成上における高電位側又は低電位側にカスケード接続した複数の過電流保護素子と、を備える。【選択図】図３
2017010694.tif 000002
【特許請求の範囲】
【請求項１】
複数の照明光源を照明装置本体に設けた照明装置であって、
前記複数の照明光源へ外部電源からの電力を分配するフランジと、
前記フランジに設けられて、前記複数の照明光源をそれぞれ着脱可能に保持する複数のソケットと、
前記複数のソケットに設けられて、前記フランジからの分配電力を前記複数の照明光源のそれぞれへと電絡する出力端子部と、
前記フランジから前記出力端子部へと向う回路構成上における高電位側又は低電位側にカスケード接続した複数の過電流保護素子と、
を備えることを特徴とする照明装置。
【請求項２】
前記複数の過電流保護素子には、
前記複数のソケットが接続されている
ことを特徴とする請求項１に記載の照明装置。
【請求項３】
前記複数の過電流保護素子は、
所定の特性値以下となったときに自己復帰する復帰型である
ことを特徴とする請求項１又は請求項２に記載の照明装置。
【請求項４】
前記複数の過電流保護素子には、
少なくとも高低で２つの異なった特性値を有するものを用いる
ことを特徴とする請求項１〜請求項３のいずれか１の請求項に記載の照明装置。
【請求項５】
前記複数の過電流保護素子のうち、
特性値の低い前記過電流保護素子を前記外部電源側に配置し、
特性値の高い前記過電流保護素子を前記前記照明光源側に配置した
ことを特徴とする請求項４に記載の照明装置。
【請求項６】
前記過電流保護素子には、所定温度を超えると電流を遮断する正の温度係数を有するサーミスタが用いられ、
前記特性値の高低は、
前記過電流保護素子の最大定格電圧（Ｖ）、保持電流値（Ａ）、トリップ電流値（Ａ）、又は、前記過電流保護素子そのものの過熱に対する前記所定温度のいずれか一つ以上を基準としている
ことを特徴とする請求項５に記載の照明装置。
【請求項７】
前記複数の過電流保護素子には、
同一の特性値を有するものを用いる
ことを特徴とする請求項１〜請求項３のいずれか１の請求項に記載の照明装置。
【請求項８】
前記過電流保護素子には、所定温度を超えると電流を遮断する正の温度係数を有するサーミスタが用いられる
ことを特徴とする請求項７に記載の照明装置。
【請求項９】
前記複数の過電流保護素子は、
前記複数のソケットと対となる数を前記フランジに配置している
ことを特徴とする請求項１〜請求項８のいずれか１の請求項に記載の照明装置。
【発明の詳細な説明】
【技術分野】
【０００１】
本発明は、照明装置であって、特に、照明光源を着脱可能に照明装置本体に設けた照明装置に関する。
【背景技術】
【０００２】
従来、照明光源を着脱可能に照明装置本体に設けた照明装置には、近年の省エネ化に伴い、照明光源に発光素子を用いたものが主流となりつつある。
【０００３】
一方、照明装置の種類には、白熱型の電球を用いる種類と、発光素子型の電球を用いる種類とが混在していることから、発光素子型の電球を用いる種類の照明装置に対して白熱型の電球を誤って装着してしまう虞がある。
【０００４】
そこで、白熱型の電球の最大球径よりも発光素子型の電球の最大球径が小さいことを利用して、白熱型の電球の口金がソケットに対して挿入不能となるように径方向中心に向って突出する突出部からなる誤着防止手段を配置した照明装置が知られている（例えば、特許文献１参照）。
【０００５】
しかしながら、このような物質的に白熱型の電球の誤着を防止するような照明装置にあっては、例えば、一般的な口金サイズがＥ２６型の白熱電球であっても、最大径５５ｍｍのシリカ電球に対しては効果があるものの、例えば、最大径４０ｍｍのボール球（http://www.denzaido.com/cm/260140/）や、最大径４５ｍｍのサイン球（http://www.akaricenter.com/hakunetu/asahi/sign.htm）、或は、管体を蛇行又は螺旋状としたスリム型と称される白熱型の電球に対しては効果を発揮することができないなど、汎用性に問題が生じていた。
【０００６】
そこで、白熱型の電球を誤って装着した際の過熱による破損を防ぐことを目的として、所定温度を超えると電流を遮断する正の温度係数を有する一つの自己復帰型の電流遮断素子を電気回路に配置した照明装置が知られている（例えば、特許文献２参照）。
【先行技術文献】
【特許文献】
【０００７】
【特許文献１】特開２０１３−１４３２２９号公報
【特許文献２】特開２０１３−２２９１３８号公報
【発明の概要】
【発明が解決しようとする課題】
【０００８】
しかしながら、同一の口金サイズであっても、多種多様な白熱型の電球が存在する状況を考慮すると、さらなる安全性の向上が望まれる。
【０００９】
本発明は、上述のような課題を解決するために、電球の種類を誤って装着した際の過熱による破損を抑制するために、より安全性を向上させた照明装置を提供することを目的とする。
【課題を解決するための手段】
【００１０】
本発明に係る照明装置は、上記目的を達成するため、複数の照明光源を照明装置本体に設けた照明装置であって、複数の照明光源へ外部電源からの電力を分配するフランジと、フランジに設けられて、複数の照明光源をそれぞれ着脱可能に保持する複数のソケットと、複数のソケットに設けられて、フランジからの分配電力を複数の照明光源のそれぞれへと電絡する出力端子部と、フランジから出力端子部へと向う回路構成上における高電位側又は低電位側にカスケード接続した複数の過電流保護素子と、を備えるものである。
【発明の効果】
【００１１】
本発明によれば、電球の種類を誤って装着してしまった際の過熱による破損を抑制するので、より安全性を向上できる。
【図面の簡単な説明】
【００１２】
【図１】本発明の一実施の形態に係る照明装置の側面図である。
【図２】本発明の一実施の形態に係る照明装置に適用されるフランジの断面図である。
【図３】本発明の一実施の形態に係る照明装置の概略の回路図である。
【発明を実施するための形態】
【００１３】
次に、本発明の一実施形態に係る照明装置をダウンライト型の多灯式照明装置に適用し、図面を参照して説明する。なお、以下に示す実施の形態は本発明の照明装置における好適な具体例であり、技術的に好ましい種々の限定を付している場合もあるが、本発明の技術範囲は、特に本発明を限定する記載がない限り、これらの態様に限定されるものではない。また、以下に示す実施の形態における構成要素は適宜、既存の構成要素等との置き換えが可能であり、かつ、他の既存の構成要素との組み合せを含む様々なバリエーションが可能である。したがって、以下に示す実施の形態の記載をもって、特許請求の範囲に記載された発明の内容を限定するものではない。
【００１４】
＜概要＞
本発明の一態様に係る照明装置は、複数の照明光源を照明装置本体に設けた照明装置であって、複数の照明光源へ外部電源からの電力を分配するフランジと、フランジに設けられて、複数の照明光源をそれぞれ着脱可能に保持する複数のソケットと、複数のソケットに設けられて、フランジからの分配電力を複数の照明光源のそれぞれへと電絡する出力端子部と、フランジから出力端子部へと向う回路構成上における高電位側又は低電位側にカスケード接続した複数の過電流保護素子と、を備える。
【００１５】
他の一態様に係る照明装置において、複数の過電流保護素子には、複数のソケットを接続する。
【００１６】
他の一態様に係る照明装置において、複数の過電流保護素子は、所定の特性値以下となったときに自己復帰する復帰型である。
【００１７】
他の一態様に係る照明装置において、複数の過電流保護素子には、少なくとも高低で２つの異なった特性値を有するものを用いる。
【００１８】
他の一態様に係る照明装置において、複数の過電流保護素子のうち、特性値の低い過電流保護素子を外部電源側に配置し、特性値の高い過電流保護素子を照明光源側に配置した。
【００１９】
他の一態様に係る照明装置において、過電流保護素子には、所定温度を超えると電流を遮断する正の温度係数を有するサーミスタが用いられ、特性値の高低は、過電流保護素子の最大定格電圧（Ｖ）、保持電流値（Ａ）、トリップ電流値（Ａ）、又は、過電流保護素子そのものの過熱に対する所定温度のいずれか一つ以上を基準としている。
【００２０】
他の一態様に係る照明装置において、複数の過電流保護素子には、同一の特性値を有するものを用いる。
【００２１】
他の一態様に係る照明装置において、過電流保護素子には、所定温度を超えると電流を遮断する正の温度係数を有するサーミスタを用いる。
【００２２】
他の一態様に係る照明装置において、複数の過電流保護素子は、複数のソケットと対となる数がフランジに配置されている。
【００２３】
＜実施の形態＞
図１において、照明装置１は、照明光源２を着脱可能に装着した複数の照明装置本体３と、複数の照明装置本体３を図示しない天井等から吊持する分配ユニット４と、分配ユニット４を経由して外部電源からの電力を各照明光源２に供給する一つの電源線５と、を備える。
【００２４】
照明光源２は、一つ以上の発光素子（図示せず）を実装した発光素子型の電球を用いている。なお、発光素子には、例えば、面発光型のＬＥＤ素子を用いており、ユーザが所望する明るさに応じて数や色調の異なる複数種類のものを任意に選択することができる。照明光源２には、例えば、Ｅ１７口金やＥ２６口金に無色透明若しくは乳白色のカバーでＬＥＤ素子及び電源回路を覆っている。
【００２５】
複数の照明装置本体３は、照明光源２から照射した照明光束の一部を下方に向けて拡散反射する傘部６と、傘部６を保持するとともに照明光源２を保持するソケット部７と、を備える。なお、傘部６の機能や形状及びソケット部７の形状や機能は任意である。なお、このソケット部７には、照明光源２の口金を保持する受口金並びに照明光源２の口金と接触する受口金７ａ（図３参照）を備えたソケットを収納している。
【００２６】
分配ユニット４は、図２に示すように、多段の円筒状のフランジ８と、フランジの下面に設けた化粧板９と、フランジ８とソケット部７とを連結するとともに各照明装置本体３に分配した電力を供給する分配線１０を配策した支持シャフト１１と、フランジ８の内部に固定した基板１２と、基板１２に固定した複数の過電流保護素子１３、速結端子１４と、スイッチング操作紐１５（図１参照）と、を備える。
【００２７】
電源線５により供給される外部電源ＡＣは、基板１２に接続されて基板１２に設けられている配線により複数に分配される。その後、複数の過電流保護素子１３を経由して、複数の速結端子１４へ電通される。複数の速結端子１４には、複数の照明装置本体３からの分配線１０が挿入接続されており、複数の照明装置本体３に外部電源ＡＣが、供給されることとなる。
【００２８】
次に、図３に基づいて、照明装置１の回路構成を説明する。外部電源ＡＣは、電源線５から分配ユニット４を経由して、複数の照明装置本体３に電力が供給される。分配ユニット４内の回路部分は、フランジ８内に設置された基板１２と、基板１２に設けられている配線、複数の過電流保護素子１３、速結端子１４、で構成されている。電源線５からの電力は、基板１２に接続されて、基板１２に設けられている配線で分配され、高電位側又は低電位側に複数の過電流保護素子１３が、カスケード接続されている。本回路構成では、２つの過電流保護素子１３が、高電位側でカスケード接続され、その後２つの速結端子１４に接続されている。複数の過電流保護素子１３の出力を、複数の速結端子に接続することにより、例えば、２つの過電流保護素子１３で２つの照明装置本体３を保護することもできる。照明装置本体３に取り付けられる照明光源２の特性により、適宜構成することにより、安全性を確保しつつコストの削減、小型化を図ることができる。
【００２９】
照明装置本体３は、分配ユニット４と、分配線１０で連結されている。基板１２の速結端子１４と接続された分配線１０は、支持シャフト１１（図１，図２参照）内を通って照明装置本体３において、ソケット部７の受口金７ａに配線される。受口金７ａに照明光源２である各種電球を装着することにより、発光させることができる。なお、照明光源２の電源回路の図示及び説明は、公知の技術を適用することができるため、ここでは省略する。
【００３０】
複数の過電流保護素子１３は、外部電源ＡＣから各ソケット部７の受口金７ａへと向う回路構成上における高電位側（又は低電位側）にカスケード接続している。複数の過電流保護素子１３は、ソケット部７の数、換言すれば、複数の照明装置本体３の数に対応して対となるようにフランジ８に配置している。例えば、本回路構成のように、二つの照明装置本体３に対して、カスケード接続した２つの過電流保護素子１３を介してから分配配線した場合、照明装置本体３が６つであれば、過電流保護素子１３は６個となる。複数の過電流保護素子１３には、所定の特性値以下となったときに自己復帰する復帰型であって、所定温度を超えると電流を遮断（高抵抗化による阻止）する正の温度係数を有するサーミスタ（ポリスイッチ）を用いている。
【００３１】
次に、複数の過電流保護素子１３の適用例を説明する。本実施の形態において、複数の過電流保護素子１３には、異なる特性値を有するものを用いている。
【００３２】
ここで、特性値とは、製造時の最大定格電圧（Ｖ）、保持電流値（Ａ）、トリップ電流値（Ａ）、又は、過電流保護素子１３そのものの過熱に対する所定温度を示す。そのうえで、複数の過電流保護素子１３には、意図的に少なくとも高低で２つの異なった特性値となるように、異なる種類のものを用いている。
【００３３】
例えば、本実施の形態では、規格上で少なくとも一つの特性値（例えば、所定温度）が高低で差を有するように異なる種類のものを用いている。この際、複数の過電流保護素子１３のうち、特性値の低い過電流保護素子１３を外部電源ＡＣ側に配置し、特性値の高い過電流保護素子１３を照明光源２側に配置することが望ましい。
【００３４】
これにより、過電流保護素子１３は、照明光源２が発光素子型の電球の場合と白熱型の電球の場合とで、ソケット部７の受口金に装着したときの電流値を感知して、白熱型の電球の場合には電流を流さないようにすることができる。
【００３５】
一方、複数の過電流保護素子１３には、規格上で同一の特性値を有するものを用いてもよい。なお、ここでの規格上とは、製造時の最大定格電圧（Ｖ）、保持電流値（Ａ）、トリップ電流値（Ａ）、又は、過電流保護素子１３そのものの過熱に対する所定温度、の設定値が同一の特性値であることを意味する。
【００３６】
このような構成とすれば、複数の過電流保護素子１３に何らかの不具合が発生した場合に、１つの閾値であっても必ず動作させる安全性を確保することができ、照明光源２が発光素子型の電球の場合と白熱型の電球の場合とで、ソケット部７の受口金に装着したときの電流値を感知して、白熱型の電球の場合には電流を流さないようにすることができる。
【００３７】
ところで、本発明の照明装置１は、その趣旨を逸脱しない範囲内において、種々の変更が加えられて実施されるものである。
【００３８】
例えば、過電流保護素子１３は、製造会社や製造工場の立地国が異なると、温湿度、重力、電力等の製造環境が大きく異なる。このため、規格として最大定格電圧（Ｖ）、保持電流値（Ａ）、トリップ電流値（Ａ）、又は、過電流保護素子１３そのものの過熱に対する所定温度といった規格上の特性値は同一であっても、製造時の誤差を含めて多少の差が発生する場合がある。
【００３９】
したがって、規格上の特性値としては同一であっても、このような製造時の誤差を含めた実際の特性値が高低差を有するため、異なる種類のものあえて用いなくてもよい。これにより、実質的に同一の特性値でありながら、厳密には異なる特性値の複数の過電流保護素子１３を用いていることとなる。
【００４０】
このため、上述した規格上で同一の特性値を有する複数の過電流保護素子１３を用いている場合の１つの閾値に対する安全性の確保に加え、異なる特性値を有する複数の過電流保護素子１３を用いている場合の複数の閾値に対する安全性を確保することができる。
【００４１】
これにより、過電流保護素子１３は、照明光源２が発光素子型の電球の場合と白熱型の電球の場合とで、ソケット部７の受口金に装着したときの電流値を感知して、白熱型の電球の場合には電流を流さないようにすることができる。
【００４２】
また、復帰型の過電流保護素子１３は、反応が瞬発的ではないためサージ等による誤動作を抑制することができ、一つの過熱温度に対応した閾値に対して、確実性及び安全性をより一層向上することができる。
【００４３】
しかも、複数の過電流保護素子１３を、例えば、国産と海外産とのように種類を異ならせて使用することにより、製品のばらつきと信頼性に対応することができる。
【００４４】
例えば、上記実施の形態では、本発明の照明装置１としてダウンライト型の多灯式照明装置に適用したものを開示したが、例えば、ペンダント型、アップライト型やスポットライト型などを本発明の多灯式の照明装置に適用可能である。
【００４５】
また、上記実施の形態では、複数の過電流保護素子１３を、高電位側に２つ直列に配置したものを開示したが、３つ以上でもよいし、高電位側と低電位側とで振り分けて配置してもよい。
【００４６】
以上説明したように、本発明に係る照明装置１は、電球の種類を誤って装着した際の過熱による破損を抑制するので、より安全性を向上させるという効果を有し、照明光源を着脱可能に照明装置本体に設けた照明装置全般に有用である。
【符号の説明】
【００４７】
１    照明装置
２    照明光源
４    分配ユニット
５    電源線
７    ソケット部
７ａ  受口金
８    フランジ
１３    過電流保護素子
【図１】
2017010694.tif 000003
【図２】
2017010694.tif 000004
【図３】
2017010694.tif 000005